(57)【特許請求の範囲】
【請求項１】
ねじり力を検知するのに用いられるマルチウィンドウタイプレンチであって、
本体と、
それぞれ異なる色を発光可能に設けられ、前記ねじり力の大きさによって点灯したり消灯したりする複数のサイドウィンドウ発光素子を含み、前記本体の両側にそれぞれ接続され、互いに同期的に発光し、互いに対応して、垂直である第１の光軸及び第２の光軸に向かって複数の前記サイドウィンドウ発光素子のそれぞれが発光する２つのサイドウィンドウ発光モジュールと、
それぞれ異なる色を発光可能に設けられ、前記ねじり力の大きさによって点灯したり消灯したりする複数のメインウィンドウ発光素子を含み、前記本体に接続され、前記第１の光軸に向かって発光するメインウィンドウ発光モジュールと、
を備えるマルチウィンドウタイプレンチ。
【請求項２】
各前記サイドウィンドウ発光モジュールは、前記第１の光軸及び前記第２の光軸と交差するように、前記サイドウィンドウ発光素子の外側に設けられる透光カバーを更に含む請求項１に記載のマルチウィンドウタイプレンチ。
【請求項３】
前記サイドウィンドウ発光素子の色と前記メインウィンドウ発光素子の色は、黄、緑、赤を含み、且つ前記メインウィンドウ発光素子の色の点滅頻度が０．５Ｈｚ以上で５Ｈｚより小さい請求項１に記載のマルチウィンドウタイプレンチ。
【請求項４】
１つの前記サイドウィンドウ発光モジュールが含む複数の前記サイドウィンドウ発光素子が発光する色は、黄色、緑色、及び、赤色の３色であり、前記メインウィンドウ発光素子の数が３つであり、且つ前記メインウィンドウ発光素子は、互いに異なる色を発光する請求項３に記載のマルチウィンドウタイプレンチ。
【請求項５】
前記本体に接続され、前記ねじり力の大きさを感知するねじり力センサーと、
前記本体に接続され、前記ねじり力センサーに電気的に接続され、且つ前記ねじり力とプリセット値とを比較して、比較値を発生させるねじり力比較プロセッサと、
を更に備える請求項１に記載のマルチウィンドウタイプレンチ。
【請求項６】
前記本体に接続され、前記ねじり力比較プロセッサに電気的に接続される鳴くためのブザーと、
前記本体に接続され、前記ねじり力比較プロセッサに電気的に接続され、前記本体に振動を発生させるための振動器と、
を更に備える請求項５に記載のマルチウィンドウタイプレンチ。
【請求項７】
前記ねじり力比較プロセッサに電気的に接続される複数のコントロールキーと、
前記ねじり力比較プロセッサに電気的に接続されるディスプレイと、
を更に備える請求項６に記載のマルチウィンドウタイプレンチ。
【請求項８】
請求項１に記載のマルチウィンドウタイプレンチに用いられるレンチの光学的警告方法であって、
ねじり力比較プロセッサを運用して前記ねじり力とプリセット値とを比較して、比較値を発生させる比較ステップと、
前記比較値に基づいて、前記２つのサイドウィンドウ発光モジュールの発光の変化を決定する漸進発光警告ステップと、
前記比較値に基づいて、前記メインウィンドウ発光モジュールの発光の変化を決定する点滅発光警告ステップと、
を含むレンチの光学的警告方法。
【請求項９】
前記サイドウィンドウ発光モジュールは、黄色の光を発光する前記サイドウィンドウ発光素子、緑色の光を発光する前記サイドウィンドウ発光素子、及び、赤色の光を発光する前記サイドウィンドウ発光素子をそれぞれ少なくとも３つずつ有し、
前記メインウィンドウ発光モジュールは、黄色の光を発光する前記サイドウィンドウ発光素子、緑色の光を発光する前記サイドウィンドウ発光素子、及び、赤色の光を発光する前記サイドウィンドウ発光素子をそれぞれ少なくとも１つずつ有し、
漸進発光警告ステップは、
前記比較値が第１のプリセット比較値以上で第２のプリセット比較値より小さい場合、前記ねじり力比較プロセッサは、前記サイドウィンドウ発光モジュールが有する複数の前記サイドウィンドウ発光素子の中の１つの前記サイドウィンドウ発光素子を黄色発光させるように駆動する第１の警告ステップと、
前記比較値が前記第２のプリセット比較値以上で第３のプリセット比較値より小さい場合、前記ねじり力比較プロセッサは、前記サイドウィンドウ発光モジュールが有する前記サイドウィンドウ発光素子の中の前記１つのサイドウィンドウ発光素子とは別の前記サイドウィンドウ発光素子を黄色発光させるように駆動する第２の警告ステップと、
前記比較値が前記第３のプリセット比較値以上で第４のプリセット比較値より小さい場合、前記ねじり力比較プロセッサは、前記サイドウィンドウ発光モジュールが有する前記サイドウィンドウ発光素子の中の前記１つのサイドウィンドウ発光素子及び前記別のサイドウィンドウ発光素子とは異なる別の前記サイドウィンドウ発光素子を黄色発光させるように駆動する第３の警告ステップと、
を含む請求項８に記載のレンチの光学的警告方法。
【請求項１０】
上記漸進発光警告ステップは、
前記比較値が前記第４のプリセット比較値以上で第５のプリセット比較値より小さい場合、前記ねじり力比較プロセッサは、前記サイドウィンドウ発光モジュールが有する前記サイドウィンドウ発光素子の中の３つの前記サイドウィンドウ発光素子を緑色発光させるように駆動する第４の警告ステップと、
前記比較値が前記第５のプリセット比較値以上である場合、前記ねじり力比較プロセッサは、前記サイドウィンドウ発光モジュールが有する前記サイドウィンドウ発光素子の中の３つの前記サイドウィンドウ発光素子を赤色発光させるように駆動する第５の警告ステップと、
を更に含む請求項９に記載のレンチの光学的警告方法。
【請求項１１】
前記点滅発光警告ステップは、
前記比較値が前記第３のプリセット比較値以上で前記第４のプリセット比較値より小さい場合、前記ねじり力比較プロセッサが前記メインウィンドウ発光素子を黄色発光させ点滅させるように駆動する第６の警告ステップを更に含む請求項１０に記載のレンチの光学的警告方法。
【請求項１２】
上記点滅発光警告ステップは、
前記比較値が前記第４のプリセット比較値以上で前記第５のプリセット比較値より小さい場合、前記ねじり力比較プロセッサが別の前記メインウィンドウ発光素子を緑色発光させ点滅させるように駆動する第７の警告ステップを更に含む請求項１１に記載のレンチの光学的警告方法。
【請求項１３】
上記点滅発光警告ステップは、
前記比較値が前記第５のプリセット比較値以上である場合、前記ねじり力比較プロセッサが更に他の前記メインウィンドウ発光素子を赤色発光させ点滅させるように駆動する第８の警告ステップを更に含む請求項１２に記載のレンチの光学的警告方法。
【請求項１４】
前記第１のプリセット比較値は４０％であり、前記第２のプリセット比較値は６０％であり、前記第３のプリセット比較値は８０％であり、前記第４のプリセット比較値は１００％であり、前記第５のプリセット比較値は１１０％である請求項１３に記載のレンチの光学的警告方法。
【請求項１５】
前記比較値に基づいてブザーを起動させるか否かを決定する音声警告ステップを更に含み、
前記ブザーは複数回のビープ音を発生することが可能であって、前記比較値が第３のプリセット比較値以上である場合、前記ねじり力比較プロセッサが前記ブザーを鳴かせるように駆動し、且つ前記鳴き回数が５回である請求項８に記載のレンチの光学的警告方法。
【請求項１６】
前記比較値に基づいて振動器を起動させるか否かを決定する振動警告ステップを更に含み、
前記振動器が振動頻度を有し、前記比較値が第５のプリセット比較値以上である場合、前記ねじり力比較プロセッサが前記振動器を振動させるように駆動し、前記振動頻度の範囲が１Ｈｚ以上で２０Ｈｚより小さい請求項８に記載のレンチの光学的警告方法。
【発明の詳細な説明】
【技術分野】
【０００１】
本発明は、レンチ及びその光学的警告方法に関し、特に、マルチウィンドウ及びマルチ表示装置を有するレンチ及びそのレンチの光学的警告方法に関する。
【背景技術】
【０００２】
デジタル工具は、普通な手工具にデジタル検知・表示メカニズムを取り入れて、感知素子によって手工具の負荷を検知する。例えば、レンチのような手工具では、レンチ内に歪みゲージを設置し、歪みゲージの変形による電荷信号によって、レンチの受けるねじり力を算出することができる。例えば、液晶スクリーンのような媒体出力素子によって出力して、ユーザに知らせる。更に、ネジ締め素子、ワーク又はデジタル工具が過大な力を受けて崩壊しないように、ユーザが力の大きさをコントロールすることができる。しかしながら、デジタルレンチの工具を使用する場合が様々あるため、照明しにくく環境が暗い場合、又は狭いスペースや、さらに視覚角度を調整できない場合に使用されると、このデジタル工具の液晶スクリーンによって情報を識別し又は即時に観測できないため、ユーザは、デジタル工具の提供する情報に基づいて力の大きさをコントロールできなく、ユーザから与える力が大きすぎて、ネジ締め素子、ワーク又はデジタル工具が過大な力により崩壊される可能性がある。
【０００３】
一般的なデジタル式工具とは、工具そのものに予定のねじり力が設定され、又は工具の出荷時に予定のねじり力が既にビルトインされている。使用する時、操作ねじり力とプリセットの条件とを比較して、一旦、操作ねじり力がプリセット条件と合致する場合、工具そのものが音声メッセージを出してユーザに警告を与えると共に、引外し作用を発揮することで、工具が操作できなくなり、ねじり力を出力するようにする。しかしながら、騒ぐ工具環境において、音声信号が疎かにされ又は聞こえられないことがよくあるため、音声信号でユーザに警告を与えることは、効果的ではない。一方、光信号を提示信号として利用するのは、比較的に様々な作業環境に好適に用いられる。
【０００４】
従来のねじり力工具には、ＬＥＤランプの発光・表示用の小さい穴又は小面積の透光カバーが設けられる。操作ねじり力がプリセット条件と合致する場合、このＬＥＤは、発光し表示することができる。これによって操作ねじり力がプリセット条件に達したか否かを判断する。しかしながら、このような形態の透光カバーは、面積が小さく、視認範囲も相当に狭いので、一旦、ユーザのＬＥＤランプを観察する位置がちょうどＬＥＤランプのある位置ではない場合、ＬＥＤランプの表示状况は、見られない。ＬＥＤランプの別の配設形態として、工具のハンドルに小面積の透光面が凸設されるものもある。従って、ＬＥＤランプの光が透光カバーを透射する場合、見える面積及び方向が比較的に多いので、ユーザは、光の変化状況を容易に観察できるが、突出した透光カバーがユーザによるねじり力工具の置き方向、工具の移動又はユーザの踏みによって、破断し又は損壊しやすいため、望ましい構造設計ではない。
【０００５】
上記から、現在の市場には、警告を快速に提供でき、警告が比較的大きい視認範囲を有し且つ使用しやすくて損壊しやすくないレンチがまだないことが分かるため、当業者は解決手段を見つけるように研究し続けている。
【発明の概要】
【発明が解決しようとする課題】
【０００６】
本発明は、従来の技術において単に液晶スクリーンによって表示する場合に情報を識別できなく又は即時に観測できなく、音声信号でユーザに警告を与える効果が望ましくなく及び突出した透光カバーがユーザによるねじり力工具の置き方向、工具の移動又はユーザの踏みによって破断し又は損壊しやすい問題を解決するように、マルチウィンドウタイプレンチ及びそのレンチの光学的警告方法を提供する。
【課題を解決するための手段】
【０００７】
本発明の一態様によると、ねじり力を検知するためのマルチウィンドウタイプレンチであって、本体と、それぞれ異なる色を発光可能に設けられ、ねじり力の大きさによって点灯したり消灯したりする複数のサイドウィンドウ発光素子を含み、本体の両側にそれぞれ接続され、互いに同期的に発光し、互いに対応して、垂直である第１の光軸及び第２の光軸に向かって複数のサイドウィンドウ発光素子のそれぞれが発光する２つのサイドウィンドウ発光モジュールと、それぞれ異なる色を発光可能に設けられ、ねじり力の大きさによって点灯したり消灯したりする複数のメインウィンドウ発光素子を含み、本体に接続され、第１の光軸に向かって発光するメインウィンドウ発光モジュールと、を備えるマルチウィンドウタイプレンチを提供する。
【０００８】
本発明の一態様によると、前記各サイドウィンドウ発光モジュールは、少なくとも第１の光軸及び第２の光軸と交差するように、サイドウィンドウ発光素子の外側に設けられる透光カバーを含んでもよい。
【０００９】
本発明の一態様によると、前記サイドウィンドウ発光素子の色とメインウィンドウ発光素子の色は、黄、緑、赤を含み、且つメインウィンドウ発光素子の色の点滅頻度が０．５Ｈｚ以上で５Ｈｚより小さくてもよい。
【００１０】
本発明の一態様によると、１つのサイドウィンドウ発光モジュールが含む複数のサイドウィンドウ発光素子が発光する色は、黄色、緑色、及び、赤色の３色であり、メインウィンドウ発光素子の数が３つであり、且つメインウィンドウ発光素子は、互いに異なる色を発光する。
【００１１】
本発明の一態様によると、前記マルチウィンドウタイプレンチは、本体に接続され、ねじり力の大きさを感知するねじり力センサーと、同じく本体に接続され、ねじり力センサーに電気的に接続され、且つねじり力とプリセット値とを比較して、比較値を発生させるねじり力比較プロセッサと、を備えてもよい。
【００１２】
本発明の一態様によると、上記マルチウィンドウタイプレンチは、本体に接続され、ねじり力比較プロセッサに電気的に接続され、ユーザに警告を与えるように鳴くためのブザーと、本体に接続され、ねじり力比較プロセッサに電気的に接続され、ユーザに警告を与えるように本体に振動を発生させるための振動器と、を備えてもよい。
【００１３】
本発明の一態様によると、上記マルチウィンドウタイプレンチは、ねじり力比較プロセッサに電気的に接続される複数のコントロールキーと、ねじり力比較プロセッサに電気的に接続されるディスプレイと、を備えてもよい。
【００１４】
本発明の別の態様によると、前記マルチウィンドウタイプレンチに用いられるレンチの光学的警告方法であって、ねじり力比較プロセッサを運用してねじり力とプリセット値とを比較して、比較値を発生させる比較ステップと、比較値に基づいて、サイドウィンドウ発光モジュールの発光の変化を決定する漸進発光警告ステップと、比較値に基づいて、メインウィンドウ発光モジュールの発光の変化を決定する点滅発光警告ステップと、を備えるレンチの光学的警告方法を提供する。
【００１５】
本発明の別の態様によると、サイドウィンドウ発光モジュールは、黄色の光を発光するサイドウィンドウ発光素子、緑色の光を発光するサイドウィンドウ発光素子、及び、赤色の光を発光するサイドウィンドウ発光素子をそれぞれ少なくとも３つずつ有する。また、メインウィンドウ発光モジュールは、黄色の光を発光するサイドウィンドウ発光素子、緑色の光を発光するサイドウィンドウ発光素子、及び、赤色の光を発光するサイドウィンドウ発光素子をそれぞれ少なくとも１つずつ有する。
漸進発光警告ステップは、比較値が第１のプリセット比較値以上で第２のプリセット比較値より小さい場合、ねじり力比較プロセッサはサイドウィンドウ発光モジュールが有する複数のサイドウィンドウ発光素子の中の１つの黄のサイドウィンドウ発光素子を発光させるように駆動する第１の警告ステップと、比較値が第２のプリセット比較値以上で第３のプリセット比較値より小さい場合、ねじり力比較プロセッサはサイドウィンドウ発光モジュールが有するサイドウィンドウ発光素子の中の１つのサイドウィンドウ発光素子とは別の黄のサイドウィンドウ発光素子を発光させるように駆動する第２の警告ステップと、比較値が第３のプリセット比較値以上で第４のプリセット比較値より小さい場合、ねじり力比較プロセッサは、サイドウィンドウ発光モジュールが有するサイドウィンドウ発光素子の中の１つのサイドウィンドウ発光素子及び別のサイドウィンドウ発光素子とは異なる別の黄のサイドウィンドウ発光素子を発光させるように駆動する第３の警告ステップと、を含む。
【００１６】
本発明の別の態様によると、前記漸進発光警告ステップは、比較値が第４のプリセット比較値以上で第５のプリセット比較値より小さい場合、ねじり力比較プロセッサが緑のサイドウィンドウ発光素子を発光させるように駆動する第４の警告ステップと、比較値が第５のプリセット比較値以上である場合、ねじり力比較プロセッサが赤のサイドウィンドウ発光素子を発光させるように駆動する第５の警告ステップと、を含んでもよい。
【００１７】
本発明の別の態様によると、前記点滅発光警告ステップは、比較値が第３のプリセット比較値以上で第４のプリセット比較値より小さい場合、ねじり力比較プロセッサが黄のメインウィンドウ発光素子を発光させ点滅させるように駆動する第６の警告ステップを含んでもよい。
【００１８】
本発明の別の態様によると、前記点滅発光警告ステップは、比較値が第４のプリセット比較値以上で第５のプリセット比較値より小さい場合、ねじり力比較プロセッサが緑のメインウィンドウ発光素子を発光させ点滅させるように駆動する第７の警告ステップを含んでもよい。
【００１９】
本発明の別の態様によると、前記点滅発光警告ステップは、比較値が第５のプリセット比較値以上である場合、ねじり力比較プロセッサが赤のメインウィンドウ発光素子を発光させ点滅させるように駆動する第８の警告ステップを含んでもよい。
【００２０】
本発明の別の態様によると、前記第１のプリセット比較値は４０％であってよく、第２のプリセット比較値は６０％であってよく、第３のプリセット比較値は８０％であってよく、第４のプリセット比較値は１００％であってよく、第５のプリセット比較値は１１０％であってよい。
【００２１】
本発明の別の態様によると、前記レンチの光学的警告方法は、比較値に基づいてブザーを起動させるか否かを決定する音声警告ステップを備えてもよい。ブザーは、複数回のビープ音を発生することが可能であって、比較値が第３のプリセット比較値以上である場合、ねじり力比較プロセッサがブザーを鳴かせるように駆動し、且つその鳴き回数が５回である。
【００２２】
本発明の別の態様によると、前記レンチの光学的警告方法は、比較値に基づいて振動器を起動させるか否かを決定する振動警告ステップを備えてもよい。この振動器は、振動頻度を有し、比較値が第５のプリセット比較値以上である場合、ねじり力比較プロセッサが振動器を振動させるように駆動し、振動頻度の範囲が１Ｈｚ以上で２０Ｈｚより小さい。
【００２３】
上記ように、本発明の上記１つ又は複数の実施例に係るマルチウィンドウタイプレンチ及びそのレンチの光学的警告方法は、多方向のカラーサイドウィンドウ発光モジュールを利用し、異なる位置の多種類の色を有するメインウィンドウ発光モジュールに合わせて、マルチウィンドウの警告ランプを形成することで、視認範囲を大幅に広げることができる。なお、異なる色の発光素子によって異なるねじり力の大きさに対応し、且つ漸進的な灯光によってねじり力の変わりを表示することで、ユーザは、現在のレンチ状況がリアルタイムに分かるだけでなく、更にねじり力のトルクを迅速に知ることができる。また、差し迫る状況で視覚、触覚及び聴覚の多重感知の警告を同時に提供でき、ユーザは、与える力の大きさを即時で効果的にコントロールできるだけでなく、様々な作業環境に好適に用いられる。
【図面の簡単な説明】
【００２４】
【図１】本発明の一実施形態に係るマルチウィンドウタイプレンチを示す斜視図である。
【図２】図１に示すマルチウィンドウタイプレンチの要部を示す模式図である。
【図３Ａ】図２に示すマルチウィンドウタイプレンチの比較値が４０％である場合のランプ信号の様子を示す模式図である。
【図３Ｂ】図２に示すマルチウィンドウタイプレンチの比較値が６０％である場合のランプ信号の様子を示す模式図である。
【図３Ｃ】図２に示すマルチウィンドウタイプレンチの比較値が８０％である場合のランプ信号の様子を示す模式図である。
【図３Ｄ】図２に示すマルチウィンドウタイプレンチの比較値が１００％である場合のランプ信号の様子を示す模式図である。
【図３Ｅ】図２に示すマルチウィンドウタイプレンチの比較値が１１０％である場合のランプ信号の様子を示す模式図である。
【図４】図１に示すマルチウィンドウタイプレンチの作動を示す模式図である。
【図５】本発明の一実施形態に係るレンチの光学的警告方法を示すフロー模式図である。
【図６】本発明の一実施形態に係るレンチの光学的警告方法を示すフロー模式図である。
【図７】本発明の一実施形態に係るレンチの光学的警告方法を示すフロー模式図である。
【発明を実施するための形態】
【００２５】
図１、図２及び図４を合わせて参照されたい。図１は、本発明の一実施形態に係るマルチウィンドウタイプレンチ１００を示す斜視図である。図２は、図１に示すマルチウィンドウタイプレンチ１００の要部を示す模式図である。図４は、図１に示すマルチウィンドウタイプレンチ１００の作動を示す模式図である。図面に示すように、このマルチウィンドウタイプレンチ１００は、ねじり力を検知するためのものであってよく、本体２００と、ねじり力センサー２１０と、ねじり力比較プロセッサ２２０と、ブザー２３０と、振動器２４０と、複数のコントロールキー２５０と、ディスプレイ２６０と、２つのサイドウィンドウ発光モジュール３００と、メインウィンドウ発光モジュール４００と、を備える。
【００２６】
ねじり力センサー２１０は、本体２００に接続され、ねじり力の大きさを感知する。ねじり力比較プロセッサ２２０は、本体２００に接続される。ねじり力センサー２１０は、ねじり力比較プロセッサ２２０に電気的に接続され、ねじり力比較プロセッサ２２０がねじり力とプリセット値とを比較して、比較値を発生させる。また、ブザー２３０は、本体２００に接続されて、ねじり力比較プロセッサ２２０に電気的に接続される。ブザー２３０は、ユーザに警告を与えるように鳴くことができる。振動器２４０は、本体２００に接続されて、ねじり力比較プロセッサ２２０に電気的に接続される。振動器２４０は、本体２００を振動させ、更にユーザに警告を与えることができる。コントロールキー２５０は、ねじり力比較プロセッサ２２０に電気的に接続され、且つディスプレイ２６０もねじり力比較プロセッサ２２０に電気的に接続される。コントロールキー２５０とディスプレイ２６０の技術については、何れも当該分野における通常の構造であるため、ここで詳しく説明しない。
【００２７】
２つのサイドウィンドウ発光モジュール３００は、本体２００の両側にそれぞれ接続される。この２つのサイドウィンドウ発光モジュール３００は、互いに同期的に発光し、互いに対応して垂直である第１の光軸１０２及び第２の光軸１０４に向かって発光する。各サイドウィンドウ発光モジュール３００は、３組のサイドウィンドウ発光素子３１０、３２０、３３０、透光カバー３４０を含む。透光カバー３４０は、第１の光軸１０２及び第２の光軸１０４をかぶるように、サイドウィンドウ発光素子３１０、３２０、３３０の外側に設けられる。なお、これらのサイドウィンドウ発光素子３１０、３２０、３３０は、３つの異なるサイドウィンドウの色を合わせて発生させることができる。これらのサイドウィンドウの色の発光の変化がねじり力の大きさによって決定される。また、複数の色のサイドウィンドウ発光素子３１０、３２０、３３０の各々は、何れの数も３つであり、且つサイドウィンドウ発光素子３１０が黄であり、サイドウィンドウ発光素子３２０が緑であり、サイドウィンドウ発光素子３３０が赤である。ただし、黄のサイドウィンドウ発光素子３１０は、サイドウィンドウ発光モジュール３００全体の中間に位置し、緑のサイドウィンドウ発光素子３２０は、赤のサイドウィンドウ発光素子３３０と別々にサイドウィンドウ発光モジュール３００の両端に位置する。具体的には、メインウィンドウ発光モジュール４００に最も近づくサイドウィンドウ発光素子３３０が赤であり、近くから遠くまで赤、赤、黄、赤、黄、緑、黄、緑及び緑の９つの発光素子がある。異なる色の発光素子で異なるねじり力の大きさに対応することで、ユーザは、現在のレンチ状況をリアルタイムに分かることができる。
【００２８】
メインウィンドウ発光モジュール４００は、本体２００に接続され、第１の光軸１０２に向かって発光する。このメインウィンドウ発光モジュール４００は、４１０、４２０、４３０の３つのメインウィンドウ発光素子を含み、３つの異なるメインウィンドウの色を合わせて発生させることができ、これらのメインウィンドウの色の発光の変化がねじり力の大きさによって決定されるものである。具体的には、サイドウィンドウの色とメインウィンドウの色とは、何れも黄、緑及び赤を含む。メインウィンドウ発光素子４１０、４２０、４３０は、点滅して発光し、且つこれらのメインウィンドウの色の点滅頻度が０．５Ｈｚ以上で５Ｈｚより小さい。また、メインウィンドウ発光素子４１０、４２０、４３０は、数が３つであり、且つ互いに異なる色を有する。具体的には、メインウィンドウ発光素子４１０は黄であり、メインウィンドウ発光素子４２０は緑であり、メインウィンドウ発光素子４３０は赤である。
【００２９】
図３Ａは、図２に示すマルチウィンドウタイプレンチ１００の比較値が４０％である場合のランプ信号の様子を示す模式図である。この時、比較値が４０％以上で６０％より小さい。サイドウィンドウ発光モジュール３００において、１つの黄のサイドウィンドウ発光素子３１０のみが発光する。
【００３０】
図３Ｂは、図２に示すマルチウィンドウタイプレンチ１００の比較値が６０％である場合のランプ信号の様子を示す模式図である。この時、比較値が６０％以上で８０％より小さい。サイドウィンドウ発光モジュール３００において、２つの黄のサイドウィンドウ発光素子３１０が発光する。
【００３１】
図３Ｃは、図２に示すマルチウィンドウタイプレンチ１００の比較値が８０％である場合のランプ信号の様子を示す模式図である。この時、比較値が８０％以上で１００％より小さい。サイドウィンドウ発光モジュール３００において、３つの黄のサイドウィンドウ発光素子３１０が全て発光する。且つメインウィンドウ発光モジュール４００において、黄のメインウィンドウ発光素子４１０は、点滅し始まる。また、ブザー２３０も鳴き始まって、比較値が８０％を超えた警告をユーザに与える。その鳴き回数は５回である。
【００３２】
図３Ｄは、図２に示すマルチウィンドウタイプレンチ１００の比較値が１００％である場合のランプ信号の様子を示す模式図である。この時、比較値が１００％以上で１１０％より小さい。サイドウィンドウ発光モジュール３００において、３つの緑のサイドウィンドウ発光素子３２０が全て発光する。且つメインウィンドウ発光モジュール４００において、緑のメインウィンドウ発光素子４２０は、点滅し始まる。なお、ブザー２３０も鳴き始まって、比較値が１００％を超えたとユーザに警告を与える。その鳴き回数は５回である。
【００３３】
図３Ｅは、図２に示すマルチウィンドウタイプレンチ１００の比較値が１１０％である場合のランプ信号の様子を示す模式図である。この時、比較値が１１０％以上である。サイドウィンドウ発光モジュール３００において、３つの赤のサイドウィンドウ発光素子３３０が全て発光する。且つメインウィンドウ発光モジュール４００において、赤のメインウィンドウ発光素子４３０は、点滅し始まる。また、ブザー２３０は鳴き、鳴き回数が５回である。振動器２４０は、同時に振動して、比較値が１１０％を超えたとユーザに警告を与える。振動頻度の範囲は１Ｈｚ以上で２０Ｈｚより小さい。この場合、厳しい状態になるため、強烈な赤で伝えてユーザに警告を与える。視覚的警告以外、聴覚と触覚の多重感知の警告を加え、過大な力による意外の発生を大幅に減少することができる。
【００３４】
図５は、本発明の一実施形態に係るレンチの光学的警告方法５００を示すフロー模式図である。このレンチの光学的警告方法５００は、比較ステップＳ１１と、漸進発光警告ステップＳ１２と、点滅発光警告ステップＳ１３と、を備える。比較ステップＳ１１は、ねじり力比較プロセッサ２２０を運用してねじり力とプリセット値とを比較して、比較値を発生させる。漸進発光警告ステップＳ１２は、比較値に基づいて、サイドウィンドウ発光モジュール３００の発光の変化を決定する。点滅発光警告ステップＳ１３は、比較値に基づいて、メインウィンドウ発光モジュール４００の発光の変化及びサイドウィンドウ発光モジュール３００の発光の変化を決定する。
【００３５】
図６は、本発明の一実施形態に係るレンチの光学的警告方法６００を示すフロー模式図である。このレンチの光学的警告方法５００は、比較ステップＳ２１と、漸進発光警告ステップＳ２２と、点滅発光警告ステップＳ２３と、を備える。図５を合わせて参照されたい。比較ステップＳ１１と比較ステップＳ２１とは同一である。漸進発光警告ステップＳ２２では、サイドウィンドウ発光モジュール３００の作動をコントロールし、第１の警告ステップＳ２２１と、第２の警告ステップＳ２２２と、第３の警告ステップＳ２２３と、第４の警告ステップＳ２２４と、第５の警告ステップＳ２２５と、を含む。また、点滅発光警告ステップＳ２３は、メインウィンドウ発光モジュール４００の作動をコントロールし、第６の警告ステップＳ２３１と、第７の警告ステップＳ２３２と、第８の警告ステップＳ２３３と、を含む。
【００３６】
その中、第１の警告ステップＳ２２１では、比較値が４０％以上で６０％より小さい場合、ねじり力比較プロセッサ２２０が１つの黄のサイドウィンドウ発光素子３１０を発光させるように駆動する。第２の警告ステップＳ２２２では、比較値が６０％以上で８０％より小さい場合、ねじり力比較プロセッサ２２０が２つの黄のサイドウィンドウ発光素子３１０を発光させるように駆動する。第３の警告ステップＳ２２３では、比較値が８０％以上で１００％より小さい場合、ねじり力比較プロセッサ２２０が３つの黄のサイドウィンドウ発光素子３１０を発光させるように駆動する。第４の警告ステップＳ２２４では、比較値が１００％以上で１１０％より小さい場合、ねじり力比較プロセッサ２２０が緑のサイドウィンドウ発光素子３２０を発光させるように駆動する。第５の警告ステップＳ２２５では、比較値が１１０％以上である場合、ねじり力比較プロセッサ２２０が赤のサイドウィンドウ発光素子３３０を発光させるように駆動する。なお、第６の警告ステップＳ２３１では、比較値が８０％以上で１００％より小さい場合、ねじり力比較プロセッサ２２０が黄のメインウィンドウ発光素子４１０を発光させ点滅させるように駆動する。第７の警告ステップＳ２３２では、比較値が１００％以上で１１０％より小さい場合、ねじり力比較プロセッサ２２０が緑のメインウィンドウ発光素子４２０を発光させ点滅させるように駆動する。第８の警告ステップＳ２３３では、比較値が１１０％以上である場合、ねじり力比較プロセッサ２２０が赤のメインウィンドウ発光素子４３０を発光させ点滅させるように駆動する。注意すべきなのは、上記比較値の条件の設定をねじり力比較プロセッサ２２０で調整することができる。且つ各ステップの駆動するサイドウィンドウ発光素子３１０、３２０、３３０又はメインウィンドウ発光素子４１０、４２０、４３０の設定を変換することもできる。ユーザは、個人的な好みと感受に応じて所望の警告形態を設定してもよい。また、上記メインウィンドウ発光素子４１０、４２０、４３０の点滅頻度を、比較値の大きさ又はユーザの好みによって設定し調整することができる。
【００３７】
図７は、本発明の一実施形態に係るレンチの光学的警告方法７００を示すフロー模式図である。図５を合わせて参照されたい。図７に示す比較ステップＳ３１、漸進発光警告ステップＳ３２及び点滅発光警告ステップＳ３３は、それぞれ図５に示す比較ステップＳ１１、漸進発光警告ステップＳ１２及び点滅発光警告ステップＳ１３とは同一なので、詳しく説明しない。特に、図７に示すレンチの光学的警告方法７００は、音声警告ステップＳ３４と、振動警告ステップＳ３５と、を更に含む。音声警告ステップＳ３４は、比較値に基づいてブザー２３０を起動させるか否かを決定する。ブザー２３０は、鳴き回数を有し、比較値が８０％以上である場合、ねじり力比較プロセッサ２２０がブザー２３０を鳴かせるように駆動し、その鳴き回数が５回である。また、振動警告ステップＳ３５は、比較値に基づいて振動器２４０を起動させるか否かを決定する。この振動器２４０は、振動頻度を有し、比較値が１１０％以上である場合、ねじり力比較プロセッサ２２０がマルチウィンドウタイプレンチ１００を振動させるように振動器２４０を駆動する。振動頻度の範囲は、１Ｈｚ以上で２０Ｈｚより小さくてもよい。もちろん、上記鳴き回数、振動頻度又は振動の振幅の設定は、何れも自由に調整してもよい。
【００３８】
上記実施形態から、本発明は、下記メリットを有することが分かる。
一、多方向のカラー側ウィンドウ発光モジュールを利用し、異なる位置の多種類の色を有する主ウィンドウ発光モジュールに合わせて、マルチウィンドウの警告ランプを形成することで、視認範囲を大幅に広げることができる。
二、異なる色の発光素子によって異なるねじり力の大きさに対応し、且つ漸進的な灯光によってねじり力の変わりを表示することで、ユーザは、現在のレンチ状況がリアルタイムに分かるだけでなく、更にねじり力のトルクを迅速に知ることができる。
三、差し迫る状況で視覚、触覚及び聴覚の多重感知の警告を同時に提供でき、ユーザは、与える力の大きさを即時で効果的にコントロールできるだけでなく、様々な作業環境に好適に用いられる。
【００３９】
本発明を実施形態で前述の通りに開示したが、これは、本発明を制限するものではなく、当業者であれば、本発明の思想と範囲から逸脱しない限り、多様の変更または修正を加えることができ、したがって、本発明の保護範囲は、特許請求の範囲で指定した内容を基準とするものである。
【符号の説明】
【００４０】
１００  マルチウィンドウタイプレンチ
１０２  第１の光軸
１０４  第２の光軸
２００  本体
２１０  ねじり力センサー
２２０  ねじり力比較プロセッサ
２３０  ブザー
２４０  振動器
２５０  コントロールキー
２６０  ディスプレイ
３００  サイドウィンドウ発光モジュール
３１０、３２０、３３０  サイドウィンドウ発光素子
３４０  透光カバー
４００  メインウィンドウ発光モジュール
４１０、４２０、４３０  メインウィンドウ発光素子
５００、６００、７００  レンチの光学的警告方法
Ｓ１１、Ｓ２１、Ｓ３１  比較ステップ
Ｓ１２、Ｓ２２、Ｓ３２  漸進発光警告ステップ
Ｓ１３、Ｓ２３、Ｓ３３  点滅発光警告ステップ
Ｓ２２１  第１の警告ステップ
Ｓ２２２  第２の警告ステップ
Ｓ２２３  第３の警告ステップ
Ｓ２２４  第４の警告ステップ
Ｓ２２５  第５の警告ステップ
Ｓ２３１  第６の警告ステップ
Ｓ２３２  第７の警告ステップ
Ｓ２３３  第８の警告ステップ
Ｓ３４  音声警告ステップ
Ｓ３５  振動警告ステップ
【図１】
0006429245.tif 000002
【図２】
0006429245.tif 000003
【図３Ａ】
0006429245.tif 000004
【図３Ｂ】
0006429245.tif 000005
【図３Ｃ】
0006429245.tif 000006
【図３Ｄ】
0006429245.tif 000007
【図３Ｅ】
0006429245.tif 000008
【図４】
0006429245.tif 000009
【図５】
0006429245.tif 000010
【図６】
0006429245.tif 000011
【図７】
0006429245.tif 000012